(57)【要約】【課題】  マイナスイオンの放射線量を変化しやすくすることで鳥の接近を防止する効果を持続させ、かつ安価に製造できる防鳥具を提供すること。【解決手段】  シート材にて構成される複数本の帯体２からなる帯状部３と、該複数本の帯体２それぞれの上端を吊支する吊支部４と、から構成され、少なくとも前記帯状部３に、マイナスイオンを発生するマイナスイオン発生材が含浸または塗布されている。【選択図】  図１
0003115540.tif 000002
【実用新案登録請求の範囲】
【請求項１】
シート材にて構成される複数本の帯体からなる帯状部と、該複数本の帯体それぞれの上端を吊支する吊支部と、から構成され、少なくとも前記帯状部に、マイナスイオンを発生するマイナスイオン発生材が含浸または塗布されている、ことを特徴とする防鳥具。
【請求項２】
前記帯状部及び前記吊支部は１枚のシート材にて構成されている、ことを特徴とする請求項１に記載の防鳥具。
【請求項３】
前記吊支部に補強板が設けられている、ことを特徴とする請求項２に記載の防鳥具。
【請求項４】
前記帯体の表面における少なくとも一部が反射面とされている、ことを特徴とする請求項１〜３のいずれかに記載の防鳥具。
【請求項５】
前記吊支部の左右端辺が互いに接続されて筒状に構成されている、ことを特徴とする請求項１〜４のいずれかに記載の防鳥具。
【考案の詳細な説明】
【技術分野】
【０００１】
本考案は、例えば鳥等の動物による野菜や果実等の食い荒らしや、ゴミの収集所におけるゴミの散乱等を防止する防鳥具に関する。
【背景技術】
【０００２】
従来、この種のものとしては、例えばゴミ収集所の周囲や野菜や果実等の周囲にネット等を張り巡らし、該ネットにより鳥の進入を防止するのが一般的であるが、近年においては、例えば予めマイナスイオンを発生させるマイナスイオン発生材を混入したプラスチック粉末によりネットを形成し、該ネットにて例えばゴミを被って使用することにより、該ネットに予め混入されたマイナスイオン発生材から発生するマイナスイオンにより鳥の接近を防止するようにした防鳥ネット等が提案されている（例えば、特許文献１参照）。
【０００３】
また、表面及び裏面が高反射率の反射面となっているとともに、折り曲げ線を境に折り曲げられたプレートを、吊り下げ部材により回動自在に吊り下げることにより、折り曲げ線を挟んだ２つの面で入射光を効率よく乱反射させることにより、鳥の接近を防止するようにしたものがある（例えば、特許文献２参照）。
【０００４】
【特許文献１】特開２００４−２７５０８８号公報（段落００１４−００１５）
【特許文献２】特開平７−３１３５５号公報（第３頁、第３図）
【考案の開示】
【考案が解決しようとする課題】
【０００５】
しかしながら、上記特許文献１に記載の防鳥ネットにあっては、ネットを構成するプラスチック材に予め混入されたマイナスイオン発生材からのマイナスイオンの放射線量が主に気温に応じて変化することで、鳥の学習効果を回避するものであるため、気温の変化が小さいときには、放射線量の変化により鳥の学習効果を回避するという効果が十分に得られないことがあった。
【０００６】
また、上記特許文献２に記載の防鳥プレートにあっては、プレートがステンレス板であるため、風が弱いとプレートが回動しにくく、乱反射の効果も十分に得られないことがあるばかりか、製造コストが嵩むといった問題があった。
【０００７】
本考案は、上記問題点を解決するためになされたもので、マイナスイオンの放射線量を変化しやすくすることで鳥の接近を防止する効果を持続させ、かつ安価に製造できる防鳥具を提供することを目的とする。
【課題を解決するための手段】
【０００８】
上記目的を達成するために、本考案の請求項１に記載の防鳥具は、
シート材にて構成される複数本の帯体からなる帯状部と、該複数本の帯体それぞれの上端を吊支する吊支部と、から構成され、少なくとも前記帯状部に、マイナスイオンを発生するマイナスイオン発生材が含浸または塗布されている、ことを特徴としている。
この特徴によれば、帯状部のマイナスイオン発生材から発生するマイナスイオンにより、鳥の接近を防止することができるとともに、風の対流、気温の変化によりマイナスイオンの放射線量が変化するばかりか、各帯体が風等によりなびいて互いに接触しあうことで摩擦現象が生じ、これによりマイナスイオンの放射線量の変化が生じやすくなるため、鳥の学習効果がなく、長期にわたり鳥の接近を防止することができる。
なお、前記マイナスイオン発生材とは、例えばトルマリン石等の天然鉱石や、ジリコニウム系、珪素系セラミックス材等、マイナスイオンを発生する種々の素材が含まれる。
【０００９】
本考案の請求項２に記載の防鳥具は、請求項１に記載の防鳥具であって、
前記帯状部及び前記吊支部は１枚のシート材にて構成されている、ことを特徴としている。
この特徴によれば、シート材に複数の切れ目を入れるだけで複数の帯体からなる帯状部を簡単に構成できるため、製造コストを効果的に低減することができる。
【００１０】
本考案の請求項３に記載の防鳥具は、請求項２に記載の防鳥具であって、
前記吊支部に補強板が設けられている、ことを特徴としている。
この特徴によれば、吊支部が折れ曲がりにくくなり、これにより複数の帯体が互いに絡み合うことが防止される。
【００１１】
本考案の請求項４に記載の防鳥具は、請求項１〜３のいずれかに記載の防鳥具であって、
前記帯体の表面における少なくとも一部が反射面とされている、ことを特徴としている。
この特徴によれば、帯状部がなびくことで光が乱反射するため、鳥等の接近を効果的に防止できる。
【００１２】
本考案の請求項５に記載の防鳥具は、請求項１〜４のいずれかに記載の防鳥具であって、
前記吊支部の左右端辺が互いに接続されて筒状に構成されている、ことを特徴としている。
この特徴によれば、帯状部が四方に形成されるため、風向きに関わりなく、帯体がなびきやすくなるばかりか、互いに対向する帯体同士が接触しやすくなるので、マイナスイオンの放射線量が効果的に変化する。
【考案を実施するための最良の形態】
【００１３】
以下、本考案の実施形態を図面に基づいて説明する。
【実施例１】
【００１４】
本考案の実施例を図面に基づいて説明すると、図１は本考案の実施例としての防鳥具１を示す斜視図であり、図２は図１の防鳥具の使用状態を示す斜視図であり、図３は図１の防鳥具の使用例を示す斜視図であり、図４は同じく図１の防鳥具の他の使用例を示す斜視図であり、図５は同じく図１の防鳥具の他の使用例を示す斜視図である。
【００１５】
本考案の実施例としての防鳥具１は、図１に示されるように、縦長長方形状の１枚の紙材（シート材）からなり、複数本（本実施例では６本）の帯体２が並設されてなる帯状部３と、該複数本の帯体２それぞれの上端を吊支する吊支部４と、から構成されている。
【００１６】
具体的には、１枚の紙材の下端辺から上端辺に向けて切り込みを複数入れることにより複数本の帯体２が形成され、切り込み長さを上下辺の長さよりも短寸とすることで、紙材の上部が各帯体２の上端を吊支する吊支部４として形成されている。なお、帯体２の長さや数量は任意に変更可能である。
【００１７】
吊支部４には、図２〜図５に示されるような紐材Ｒ等を挿通可能な吊支穴５が形成されており、防鳥具１を吊り下げて使用することができるようになっている。なお、吊支穴５の周囲には合成樹脂製のリング５ａが装着されており、吊支穴５からの破断が防止されている。
【００１８】
また、本実施例におけるシート材としての紙材は、製造工程において予めマイナスイオン発生材の一例としての粉末のトルマリン（トルマリン石を粉砕して粉末状にしたもの）が予め含浸されており、後述するような使用時において、風の対流、気温の変化、各帯体が風等によりなびいて互いに接触しあうことで摩擦現象が生じること等により、微弱な電流、つまりはマイナスイオンが生じるようになっている。特にヒヨドリやカラス等の鳥は、この微弱な電流が生じていることを人間よりも敏感に察知することから、マイナスイオンの発生により鳥の接近が効果的に防止される。
【００１９】
特には、風の対流、気温の変化によりマイナスイオンの放射線量が変化するばかりか、各帯体２が風等によりなびいて互いに接触しあうことで摩擦現象（圧電効果）が生じ、これによりマイナスイオンの放射線量の変化がより生じやすくなる。すなわち、このようなマイナスイオンの放射線量が変化することで鳥の学習効果がなく、長期にわたり鳥の接近を防止することができる。
【００２０】
このように構成された本実施例における防鳥具１にあっては、予め吊支穴５内に紐材Ｒを挿通しておき、例えば図３に示されるように、果樹園等における樹木の周囲に立設した支柱Ｐの上端部間に前記紐材Ｒを掛け渡し、果実の周囲を囲むように複数の防鳥具１を吊り下げることで、果実への鳥の接近を防止することができる。
【００２１】
また、図４に示されるように、畑等における作物の周囲に立設した支柱Ｐの上端部間に前記紐材Ｒを掛け渡し、作物の周囲を囲むように複数の防鳥具１を吊り下げることで、作物への鳥の接近を防止することができる。
【００２２】
さらに、図５に示されるように、ゴミ収集所におけるゴミ置き場の側面及び背面に立設された壁Ｗの上端に立設された支柱等Ｐの上端部間に前記紐材Ｒを掛け渡し、ゴミの周囲を囲むように複数の防鳥具１を吊り下げることで、ゴミへの鳥の接近を防止することができる。
【００２３】
また、本実施例の防鳥具１は、帯状部３及び吊支部４が１枚の紙材（シート材）にて構成されていることで、紙材に複数の切れ目を入れるだけで複数の帯体２からなる帯状部３及び各帯体２を吊支する吊支部４を簡単に構成できるため、製造コストを効果的に低減することができる。
【００２４】
また、図６（ａ）、（ｂ）には、本考案の変形例としての防鳥具１０が示されている。本変形例としての防鳥具１０は、前記実施例の防鳥具１と同様に構成されるが、吊支部４の前面（または後面）に、補強板としてのステンレス板６が貼着されている。
【００２５】
このように吊支部４の前面にステンレス板６が貼着されていることで、吊支部４の折れ曲がりが防止され、これにより複数の帯体２が互いに絡み合うことが防止される。
【００２６】
また、補強材をステンレス板６とすることで、該ステンレス板６の表面が鏡面、つまり光を反射しやすい反射面とされるため、光の反射効果により鳥の接近を防止できる。
【００２７】
さらに、帯体２の表裏面には反射テープが貼着されており、帯体２の表裏面が反射面とされていることで、それぞれの帯体２がなびくことで光が乱反射するため、光の変化により鳥等の接近をより効果的に防止できる。
【００２８】
図７には、本考案の他の変形例としての防鳥具２０が示されている。本変形例としての防鳥具２０は、前記実施例の防鳥具１と同様に構成されるが、吊支部４の上端を下方に折り返して吊支部４の下部に貼着することで、吊支穴５の代わりに長手方向に延びる筒状の挿通部７が形成されている。
【００２９】
このように、長手方向に延びる筒状の挿通部７を形成することで、紐材Ｒに沿って複数の帯体２が並設された状態で吊り下げられるため、複数の帯体２を鳥の接近方向に対して対向する姿勢に保持させることができる。
【００３０】
図８には、本考案のさらに他の変形例としての防鳥具３０が示されている。本変形例としての防鳥具３０は、前記実施例の防鳥具１と同様に構成されるが、吊支部４を円筒状に丸めて左右短辺部を接続することにより、筒状の防鳥具３０として構成している。
【００３１】
このように筒状とすることで、帯状部３が環状、つまりは四方に形成されるため、風向きに関わりなく、帯体２がなびきやすくなるばかりか、互いに対向する帯体２同士が接触しやすくなるので、マイナスイオンの放射線量が効果的に変化する。なお、この防鳥具３０は円筒状に形成されているが、角筒状に形成してもよい。
【００３２】
以上、本考案の実施例を図面により説明してきたが、具体的な構成はこれら実施例に限られるものではなく、本考案の要旨を逸脱しない範囲における変更や追加があっても本考案に含まれる。
【００３３】
例えば、上記実施例及び各変形例における防鳥具１、１０、２０、３０は、１枚の紙材にて構成されていたが、材質は紙に限定されるものではなく、例えば合成樹脂製や布製の可撓性を有するシート材にて構成してもよい。
【００３４】
また、少なくとも複数の帯体がシート材にて構成されていれば、全体が１枚のシート材にて構成されていなくてもよく、この場合、特に図示しないが、例えば複数の帯体の上端を挟持して吊支することが可能なクリップ部材等にて構成されていてもよい。
【００３５】
また、マイナスイオン発生材として、トルマリン石を粉状に粉砕したものが適用されていたが、本考案にあっては、例えば温泉地帯に多い天然鉱石や、ジリコニウム系、珪素系セラミックス材等、マイナスイオンを発生する種々の素材を適用可能である。
【００３６】
さらに、前記実施例ではマイナスイオン発生材が紙材に予め含浸されていたが、マイナスイオン発生材を接着剤等により帯状部３や吊支部４の表面または裏面に塗布してもよい。
【００３７】
また、磁力を発生させる磁力発生材（磁石等）等を例えば補強材として設けることで、該磁力により鳥の接近を効果的に防止することができる。
【００３８】
また、前記実施例においては、防鳥具１、１０、２０、３０を紐材Ｒに吊り下げて使用する例を記載したが、防鳥具１を、樹木や枝、あるいは野菜や果実等の茎等に直接吊り下げて使用してもよい。
【００３９】
また、前記実施例の防鳥具１、１０、２０、３０を構成する紙材（シート材）を、対象となる鳥が嫌うとされる色（例えば黄色等）に着色することで、鳥の接近をより効果的に防止することができる。
【００４０】
また、前記実施例においては、防鳥具１を畑、果樹園、ゴミ収集所等において使用する例を記載したが、例えば防鳥具を養鶏場の周囲あるいは窓や通気口等の近傍に吊り下げておくことで、養鶏場の窓や通気口等を介して渡り鳥が内部に侵入することを防止でき、これにより、鳥インフルエンザ等の伝染病が渡り鳥を媒介として蔓延することを効果的に回避することができる。
【００４１】
さらに、ビニールハウス等の周囲やビニールハウスの骨材等に吊り下げておくことで、ビニールハウスを突き破って鳥が内部に侵入して果実や作物を食い荒らすことを効果的に防止することができる。
【００４２】
なお、前記実施例に記載した防鳥具１、１０、２０、３０は、鳥の接近を防止することを目的として使用するだけでなく、例えば屋内に吊り下げる等、トルマリンから発生するマイナスイオン効果により、血行促進や細胞活性等の健康効果や、除粉塵、消臭、抗菌作用等を得ることを目的として使用することが可能である。
【００４３】
また、本考案の防鳥具は、マイナスイオンにより接近を防止することができるものであれば、その対象となるのは鳥だけでなく、猫、犬等の他の動物であってもよい。
【図面の簡単な説明】
【００４４】
【図１】本考案の実施例としての防鳥具１を示す斜視図である。
【図２】図１の防鳥具の使用状態を示す斜視図である。
【図３】図１の防鳥具の使用例を示す斜視図である。
【図４】同じく図１の防鳥具の他の使用例を示す斜視図である。
【図５】同じく図１の防鳥具の他の使用例を示す斜視図である。
【図６】（ａ）は本考案の変形例としての防鳥具を示す斜視図であり、（ｂ）は（ａ）の側面図である。
【図７】本考案の他の変形例としての防鳥具を示す斜視図である。
【図８】本考案のさらに他の変形例としての防鳥具を示す斜視図である。
【符号の説明】
【００４５】
１、１０、２０、３０    防鳥具
２          帯体
３          帯状部
４          吊支部
５          吊支穴
６          ステンレス板（補強板）
７          挿通部
Ｒ          紐
Ｐ          支柱
【図１】
0003115540.tif 000003
【図２】
0003115540.tif 000004
【図３】
0003115540.tif 000005
【図４】
0003115540.tif 000006
【図５】
0003115540.tif 000007
【図６】
0003115540.tif 000008
【図７】
0003115540.tif 000009
【図８】
0003115540.tif 000010